(57)【要約】【課題】  清掃能力を低下させることなく、使用する洗浄水を少量にして運転中の洗浄水の交換作業を省略させる。【解決手段】  メダル搬送路６の途中位置にメダルｍの上下面を押圧しながら搬送方向へ送り出す一対の吸水性の清掃ローラ１１を設け、清掃ローラ１１を駆動させる駆動手段を設け、洗浄水Ｗを貯水する貯水タンク１６を設け、貯水タンク１６の洗浄水Ｗを清掃ローラ１１のローラ面に少量吹き付けて清掃ローラ１１を湿らせるノズル１４ａを設け、貯水タンク１６の洗浄水Ｗをノズル１４ａに送り出すポンプ１５を設け、少量の洗浄水Ｗで湿らせた清掃ローラ１１でメダルｍを拭うようにして汚れを清掃できるようにした。【選択図】  図１
2007296179.tif 000002
【特許請求の範囲】
【請求項１】
メダル搬送路の途中位置にメダルの上下面を押圧しながら搬送方向へ送り出す一対の吸水性の清掃ローラを設け、清掃ローラを駆動させる駆動手段を設け、洗浄水を貯水する貯水タンクを設け、貯水タンクの洗浄水を清掃ローラのローラ面に少量吹き付けて清掃ローラを湿らせるノズルを設け、貯水タンクの洗浄水をノズルに送り出すポンプを設け、少量の洗浄水で湿らせた清掃ローラでメダルを拭うようにして汚れを清掃できるようにしたことを特徴とする、メダル清掃装置。
【請求項２】
ポンプが、洗浄水を間欠的に送り出すように作動するものである、請求項１記載のメダル清掃装置。
【請求項３】
ノズルを下側の清掃ローラのローラ面に向けて配置した、請求項１又は２記載のメダル清掃装置。
【請求項４】
貯水タンクを下側の清掃ローラの直下に配置し、貯水タンクの上面を開放し、清掃ローラから落下する洗浄水を貯水タンクに回収できるようにした、請求項１〜３いずれか記載のメダル清掃装置。
【請求項５】
メダル搬送路の清掃ローラより上流位置にメダルを一対のブラシ盤で研磨するメダル研磨部を設けた、請求項１〜４いずれか記載のメダル清掃装置。
【発明の詳細な説明】
【技術分野】
【０００１】
本発明は、スロットマシン等の遊技に使用されるメダルの清掃装置に関する。
【背景技術】
【０００２】
従来、メダル洗浄研磨装置が特許文献１で開示されている。この技術は、図４に示すように、上下のブラシ盤２２間にメダルｍを洗浄水Ｗとともに送り込みながら回転させ、回転と遠心力によりメダルｍを洗浄研磨しながら円周方向へ移行させ、メダルｍに付着している洗浄水Ｗを吸水ローラ２３で吸水して排出させるようにした構造を特徴としている。図中、２１はメダル投入口、２４は吸水ローラ２３が吸水した洗浄水Ｗを絞り出す絞りローラ、２５は貯水タンク、２６は洗浄水Ｗを送り出すポンプである。
【０００３】
ところで、前記技術では洗浄水Ｗの循環機器を必要として装置が大型複雑化し、運転中は汚染された洗浄水Ｗを交換する作業が必要であった。また、洗浄水Ｗを用いない乾式の装置では、除去した汚れがメダルｍに付着し易く、清掃能力に劣る問題があった。
【特許文献１】特開２００５−３２８８９２号公報
【発明の開示】
【発明が解決しようとする課題】
【０００４】
本発明が解決しようとする課題は、従来のこれらの問題点を解消し、清掃能力を低下させることなく、使用する洗浄水を少量にして運転中の洗浄水の交換作業を省略できる小型簡易構造のメダル清掃装置を提供することにある。
【課題を解決するための手段】
【０００５】
かかる課題を解決した本発明の構成は、
１）  メダル搬送路の途中位置にメダルの上下面を押圧しながら搬送方向へ送り出す一対の吸水性の清掃ローラを設け、清掃ローラを駆動させる駆動手段を設け、洗浄水を貯水する貯水タンクを設け、貯水タンクの洗浄水を清掃ローラのローラ面に少量吹き付けて清掃ローラを湿らせるノズルを設け、貯水タンクの洗浄水をノズルに送り出すポンプを設け、少量の洗浄水で湿らせた清掃ローラでメダルを拭うようにして汚れを清掃できるようにしたことを特徴とする、メダル清掃装置
２）  ポンプが、洗浄水を間欠的に送り出すように作動するものである、前記１）記載のメダル清掃装置
３）  ノズルを下側の清掃ローラのローラ面に向けて配置した、前記１）又は２）記載のメダル清掃装置
４）  貯水タンクを下側の清掃ローラの直下に配置し、貯水タンクの上面を開放し、清掃ローラから落下する洗浄水を貯水タンクに回収できるようにした、前記１）〜３）いずれか記載のメダル清掃装置
５）  メダル搬送路の清掃ローラより上流位置にメダルを一対のブラシ盤で研磨するメダル研磨部を設けた、前記１）〜４）いずれか記載のメダル清掃装置
にある。
【発明の効果】
【０００６】
本発明によれば、洗浄水を必要最低量にして清掃ローラへ給水し、湿らせた一対の清掃ローラでメダルを上下から押圧して摩擦と少量の洗浄水で油脂等の汚れを拭うように清掃して送り出す。したがって、従来のように大量の洗浄水を扱う複雑な循環機器を必要とせず装置を小型簡易化でき、汚染された洗浄水の交換作業を省略できる。また、除去された汚れは洗浄水を含んだ清掃ローラに吸着されてメダルに付着し難く、乾式の装置と比較して清掃能力が高い。
【発明を実施するための最良の形態】
【０００７】
本発明では、洗浄水の吹き付け方向としては、清掃ローラの下方又は上方あるいは横方向からでもよく、装置の構造に応じて選定される。特にノズルを下側の清掃ローラのローラ面に向けて配置したものは、メダル搬送路を通過するメダルに余分な洗浄水が当たり難く好ましい。清掃ローラとしては、連続気泡を備えた発泡合成樹脂や吸水性の布材を巻き付けたものなど油脂等の拭き取り性に優れたものが用いられる。ポンプとしては、装置の作動直後は清掃ローラに洗浄水が行き渡るまで連続的に送り出し、清掃開始後は必要量に応じて間欠的に送り出すことができるようにしたものが望ましい。貯水タンクは、上面を開放した構造のものを下側の清掃ローラの直下に配置し、清掃ローラから落下する洗浄水を貯水タンクに回収できるようにすると、装置のメンテナンスが容易となり好ましい。洗浄水は水又は水に洗浄液を適量混合したものが用いられる。以下、本発明の実施例を図面に基づいて具体的に説明する。
【実施例１】
【０００８】
図１は実施例のメダル清掃装置の縦断面図、図２は実施例のメダル清掃装置の分解斜視図、図３は実施例の清掃ローラの斜視図である。図中、１はメダル清掃装置、２はメダル投入口、３は上側ブラシ盤、３ａはブラシ毛、４は下側ブラシ盤、４ａはブラシ毛、４ｂは軟質シート、５は筒体、５ａはメダル排出路、６はメダル搬送路、７はメダル排出口、８は回転軸、８ａは従動ローラ、９はモータ、９ａは駆動ローラ、１０は駆動ベルト、１１は清掃ローラ、１１ａはギヤ、１１ｂは小ギヤ、１２は駆動チェーン、１３はモータ、１３ａは駆動ギヤ、１４は給水管、１４ａはノズル、１５はポンプ、１６は貯水タンク、ｍはメダル、Ｗは洗浄水である。
【０００９】
本実施例のメダル清掃装置１は、図１に示すように上部にすり鉢状のメダル投入口２を備え、メダル投入口２の下端に上側ブラシ盤３を固定し、上側ブラシ盤３の直下に下側ブラシ盤４を回転自在に配置し、上側ブラシ盤３と下側ブラシ盤４の周囲及び底部を覆う筒体５を設け、筒体５の底面を穿孔して回転軸８を配置して下側ブラシ盤４と接続し、回転軸８の従動ローラ８ａとモータ９の駆動ローラ９ａとの間に駆動ベルト１０を掛架している。軟質シート４ｂはメダルｍの滑りを防止するものである。
【００１０】
筒体５の側部にはメダル排出路５ａを形成し、メダル搬送路６の途中位置に上下一対の清掃ローラ１１を搬送方向に沿って２組設け、下側の清掃ローラ１１の直下に上方を開放した貯水タンク１６を設け、貯水タンク１６に洗浄水Ｗを貯水し、給水管１４を垂直に配管するとともに途中を２体の下側の清掃ローラ１１の各ローラ面に向けて分岐し、その先端それぞれにノズル１４ａを形成し、貯水タンク１６の洗浄水Ｗを給水管１４へ送り出すポンプ１５を取り付けている。
【００１１】
清掃ローラ１１の軸端にはギヤ１１ａと小ギヤ１１ｂを取り付けるとともにギヤ１１ａ同士を歯合し、小ギヤ１１ｂとモータ１３の駆動ギヤ１３ａとの間に駆動チェーン１２を掛架している。清掃ローラ１１は連続気泡を備えたスポンジで構成し、洗浄水Ｗは水を使用している。
【００１２】
本実施例では、モータ９，１３を作動させて下側ブラシ盤４と清掃ローラ１１を回転させ、貯水タンクの洗浄水Ｗを給水管１４を通じてポンプ１５で送り出し、下側の清掃ローラ１１のローラ面へノズル１４ａで少量吹き付けて清掃ローラ１１を適度に湿らせる。なお、上下の清掃ローラ１１のローラ面が湿るまである程度時間を要するから、清掃開始までしばらく連続的に吹き付けて空運転し、清掃開始直前に間欠的に吹き付けるように切り替える。
【００１３】
汚れたメダルｍをメダル投入口２へ投入すると、下側ブラシ盤４の回転によりメダルｍがブラシ毛３ａ，４ａで研磨されながら円周方向へ移行し、メダル排出路５ａから清掃ローラ１１方向へ排出される。研磨された汚れは下側ブラシ盤４や筒体５の底部に溜まる。このブラシ毛３ａ，４ａによる研磨は大きなゴミ・汚れは除去されるが、メダルｍの表面に付着している油脂や微細なゴミは除去が不十分な状態にある。しかし、その後本発明の要部である清掃ローラ１１は搬送された研磨済みのメダルｍを上下から押圧して摩擦と少量の洗浄水Ｗで研磨後の表面に残っている油脂や微細なゴミを拭うように確実に清掃し、メダル排出口７から排出される。
【００１４】
排出されたメダルｍの表面に洗浄水Ｗはほとんど残っておらず、その後は特に乾燥させることなく直に遊技機へ搬送できる。わずかに湿っている場合でも搬送中に早期に乾燥するから支障はない。除去された汚れは洗浄水Ｗを含んだ清掃ローラ１１に吸着され、メダルｍに付着することはない。洗浄水Ｗの消費量はおよそ１００ｃｃ／時間（メダルｍへの付着量は１枚当たり０．１ｃｃ以下）で、洗浄水Ｗの貯水量は清掃ローラ１１の吸水量と運転時間（例えば１０時間）を考慮してもおよそ１．０〜１．５Ｌ程度で十分であり、洗浄水Ｗを補充することなくおよそ９０万枚のメダルｍを連続的に清掃できる。
【産業上の利用可能性】
【００１５】
本発明のメダル清掃装置は、スロットマシン等の遊技に使用されるメダルの清掃に利用される。
【図面の簡単な説明】
【００１６】
【図１】実施例１のメダル清掃装置の縦断面図である。
【図２】実施例１のメダル清掃装置の分解斜視図である。
【図３】実施例１の清掃ローラの斜視図である。
【図４】従来のメダル洗浄研磨装置の縦断面図である。
【符号の説明】
【００１７】
１  メダル清掃装置
２  メダル投入口
３  上側ブラシ盤
３ａ  ブラシ毛
４  下側ブラシ盤
４ａ  ブラシ毛
４ｂ  軟質シート
５  筒体
５ａ  メダル排出路
６  メダル搬送路
７  メダル排出口
８  回転軸
８ａ  従動ローラ
９  モータ
９ａ  駆動ローラ
１０  駆動ベルト
１１  清掃ローラ
１１ａ  ギヤ
１１ｂ  小ギヤ
１２  駆動チェーン
１３  モータ
１３ａ  駆動ギヤ
１４  給水管
１４ａ  ノズル
１５  ポンプ
１６  貯水タンク
２１  メダル投入口
２２  ブラシ盤
２３  吸水ローラ
２４  絞りローラ
２５  貯水タンク
２６  ポンプ
ｍ  メダル
Ｗ  洗浄水
【図１】
2007296179.tif 000003
【図２】
2007296179.tif 000004
【図３】
2007296179.tif 000005
【図４】
2007296179.tif 000006